(57)【要約】【課題】商用電源の電力使用量の削減量を増加させること。【解決手段】電力事業者から電力の供給を受ける需要家に設けられる蓄電管理装置は、需要家へ節電要請を行うサーバによって節電を開始させる第１の時間前に送信される節電要請の予告通知を受信する受信部と、受信部によって節電要請の予告通知が受信されたときの第１の充電残量に基づいて、第１の時間の経過後に開始される節電処理が終了してから第２の時間が経過するまでの間に該節電処理に対する回復処理が行われたときの第２の充電残量を推定する推定部と、推定部によって推定された第２の充電残量に基づいて、節電要請に応じるか否かを判定する判定部とを備える。【選択図】図３
2018068052.tif 000002
【特許請求の範囲】
【請求項１】
電力事業者から電力の供給を受ける需要家に設けられる蓄電管理装置であって、
前記需要家へ節電要請を行うサーバによって節電を開始させる第１の時間前に送信される節電要請の予告通知を受信する受信部と、
前記受信部によって前記節電要請の予告通知が受信されたときの第１の充電残量に基づいて、前記第１の時間の経過後に開始される節電処理が終了してから第２の時間が経過するまでの間に該節電処理に対する回復処理が行われたときの第２の充電残量を推定する推定部と、
前記推定部によって推定された第２の充電残量に基づいて、前記節電要請に応じるか否かを判定する判定部と
を備える、蓄電管理装置。
【請求項２】
前記推定部は、前記第１の充電残量に基づいて前記第１の時間の経過後に開始される節電処理が終了したときの第３の充電残量を推定し、該第３の充電残量に基づいて第２の充電残量を推定する、請求項１に記載の蓄電管理装置。
【請求項３】
前記推定部は、前記受信部によって前記節電要請の予告通知が受信されてから充電処理又は放電処理が前記第１の時間の間行われた後の第４の充電残量を推定し、該第４の充電残量に基づいて前記第２の充電残量を推定する、請求項１に記載の蓄電管理装置。
【請求項４】
前記節電要請に応じた場合に得られる報酬を予測する報酬予測部
を備え、
前記判定部は、前記報酬予測部によって予測される報酬に基づいて、前記節電要請に応じるか否かを判定する、請求項１から請求項３のいずれか１項に記載の蓄電管理装置。
【請求項５】
前記節電要請には、充電指示、及び放電指示が含まれる、請求項１から請求項４のいずれか１項に記載の蓄電管理装置。
【請求項６】
前記推定部は、前記受信部によって受信された前記節電要請に前記充電指示が含まれる場合に、前記節電処理が終了してから前記第２の時間の間放電処理を行ったときの第２の充電残量を推定する、請求項５に記載の蓄電管理装置。
【請求項７】
前記推定部は、前記受信部によって受信された前記節電要請に前記放電指示が含まれる場合に、前記節電処理が終了してから前記第２の時間の間充電処理を行ったときの第２の充電残量を推定する、請求項５に記載の蓄電管理装置。
【請求項８】
電力事業者から電力の供給を受ける需要家に設けられる蓄電管理装置によって実行される蓄電管理方法であって、
前記需要家へ節電要請を行うサーバによって節電を開始させる第１の時間前に送信される節電要請の予告通知を受信し、
前記節電要請の予告通知が受信されたときの第１の充電残量に基づいて、前記第１の時間の経過後に開始される節電処理が終了してから第２の時間が経過するまでの間に該節電処理に対する回復処理が行われたときの第２の充電残量を推定し、前記第２の充電残量に基づいて、前記節電要請に応じるか否かを判定する、蓄電管理方法。
【請求項９】
電力事業者から電力の供給を受ける需要家に設けられる蓄電管理装置に、
前記需要家へ節電要請を行うサーバによって節電を開始させる第１の時間前に送信される節電要請の予告通知を受信させ、
前記節電要請の予告通知が受信されたときの第１の充電残量に基づいて、前記第１の時間の経過後に開始される節電処理が終了してから第２の時間が経過するまでの間に該節電処理に対する回復処理が行われたときの第２の充電残量を推定させ、
前記第２の充電残量に基づいて、前記節電要請に応じるか否かを判定させる、蓄電管理プログラム。
【発明の詳細な説明】
【技術分野】
【０００１】
本発明の実施形態は、蓄電管理装置、蓄電管理方法、及び蓄電管理プログラムに関する。
【背景技術】
【０００２】
商用電源の電気料金は、基本料金と電力使用量に応じた電力使用料金とからなる。基本料金は、過去の所定期間に需要家によって使用された商用電源の電力量のピークによって決まる場合がある。また、商用電源によって供給できる電力量には限界があり、電力供給量に対して需要家全体の電力需要が多く見込まれる場合がある。
【０００３】
電力供給量に対して需要家全体の電力需要が多く見込まれる場合に需要家側に商用電源の電力使用量を削減させる仕組みとして、デマンドレスポンス（ＤＲ：Ｄｅｍａｎｄ  Ｒｅｓｐｏｎｓｅ）が知られている。デマンドレスポンスは、電力事業者が需要家に節電要請を行い、節電要請が行われた時間帯に商用電源の電力使用量を削減した需要家にインセンティブを支払う仕組みである（例えば、特許文献１参照）。
【先行技術文献】
【特許文献】
【０００４】
【特許文献１】特開２０１３−２３００５１号公報
【発明の概要】
【発明が解決しようとする課題】
【０００５】
デマンドレスポンスが実行される場合には、電力を供給する側は、需要者側へデマンドレスポンスの予告通知を行う。その後、電力を供給する側は、デマンドレスポンスを実行する時間となったときに、需要家側へデマンドレスポンス指令を発動する。
デマンドレスポンスの予告通知に対して、需要家は、蓄電池を使用するＤＲの場合は、蓄電池の充電残量（Ｓｔａｔｅ  Ｏｆ  Ｃｈａｒｇｅ：  ＳＯＣ）に基づいて、デマンドレスポンス指令に応じるか否かを判定する。
【０００６】
例えば、電力を供給する側によってデマンドレスポンスの予告通知が行われた場合に、需要家側は、そのデマンドレスポンスの予告通知が行われたときの充電残量に基づいて、デマンドレスポンス指令に応じるか否かを判定する。具体的には、需要家側は、デマンドレスポンスの予告通知が行われたときの充電残量に基づいて、予め設定される条件を満たす場合にデマンドレスポンス指令に応じると判定し、満たさない場合にデマンドレスポンス指令に応じないと判定する。
【０００７】
需要家によってデマンドレスポンスに応じないと判定されることによって、電力を供給する側では、商用電源の電力使用量の削減量が少なくなる場合がある。
本発明は、上記の点に鑑みて為されたものであり、その目的は、商用電源の電力使用量の削減量を増加させることを目的とする。
【課題を解決するための手段】
【０００８】
本発明の一態様は、電力事業者から電力の供給を受ける需要家に設けられる蓄電管理装置であって、前記需要家へ節電要請を行うサーバによって節電を開始させる第１の時間前に送信される節電要請の予告通知を受信する受信部と、前記受信部によって前記節電要請の予告通知が受信されたときの第１の充電残量に基づいて、前記第１の時間の経過後に開始される節電処理が終了してから第２の時間が経過するまでの間に該節電処理に対する回復処理が行われたときの第２の充電残量を推定する推定部と、前記推定部によって推定された第２の充電残量に基づいて、前記節電要請に応じるか否かを判定する判定部とを備える、蓄電管理装置である。
【０００９】
本発明の一態様の蓄電管理装置において、前記推定部は、前記第１の充電残量に基づいて前記第１の時間の経過後に開始される節電処理が終了したときの第３の充電残量を推定し、該第３の充電残量に基づいて第２の充電残量を推定する。
【００１０】
本発明の一態様の蓄電管理装置において、前記推定部は、前記受信部によって前記節電要請の予告通知が受信されてから充電処理又は放電処理が前記第１の時間の間行われた後の第４の充電残量を推定し、該第４の充電残量に基づいて前記第２の充電残量を推定する。
【００１１】
本発明の一態様の蓄電管理装置において、前記節電要請に応じた場合に得られる報酬を予測する報酬予測部を備え、前記判定部は、前記報酬予測部によって予測される報酬に基づいて、前記節電要請に応じるか否かを判定する。
【００１２】
本発明の一態様の蓄電管理装置において、前記節電要請には、充電指示、及び放電指示が含まれる。
【００１３】
本発明の一態様の蓄電管理装置において、前記推定部は、前記受信部によって受信された前記節電要請に前記充電指示が含まれる場合に、前記節電処理が終了してから前記第２の時間の間放電処理を行ったときの第２の充電残量を推定する。
【００１４】
本発明の一態様の蓄電管理装置において、前記推定部は、前記受信部によって受信された前記節電要請に前記放電指示が含まれる場合に、前記節電処理が終了してから前記第２の時間の間充電処理を行ったときの第２の充電残量を推定する。
【００１５】
本発明の一態様は、電力事業者から電力の供給を受ける需要家に設けられる蓄電管理装置によって実行される蓄電管理方法であって、前記需要家へ節電要請を行うサーバによって節電を開始させる第１の時間前に送信される節電要請の予告通知を受信し、前記節電要請の予告通知が受信されたときの第１の充電残量に基づいて、前記第１の時間の経過後に開始される節電処理が終了してから第２の時間が経過するまでの間に該節電処理に対する回復処理が行われたときの第２の充電残量を推定し、前記第２の充電残量に基づいて、前記節電要請に応じるか否かを判定する、蓄電管理方法である。
【００１６】
本発明の一態様は、電力事業者から電力の供給を受ける需要家に設けられる蓄電管理装置に、前記需要家へ節電要請を行うサーバによって節電を開始させる第１の時間前に送信される節電要請の予告通知を受信させ、前記節電要請の予告通知が受信されたときの第１の充電残量に基づいて、前記第１の時間の経過後に開始される節電処理が終了してから第２の時間が経過するまでの間に該節電処理に対する回復処理が行われたときの第２の充電残量を推定させ、前記第２の充電残量に基づいて、前記節電要請に応じるか否かを判定させる、蓄電管理プログラムである。
【発明の効果】
【００１７】
本発明の実施形態によれば、商用電源の電力使用量の削減量を増加させることができる。
【図面の簡単な説明】
【００１８】
【図１】本実施形態に係る電力管理システムの概要を示す図である。
【図２】本実施形態に係る蓄電管理装置のハードウェア構成の一例を示す図である。
【図３】本実施形態に係る電力管理システムを示す機能ブロック図である。
【図４】ＤＲメニュー（その１）の一例を示す図である。
【図５】ＤＲメニュー（その２）の一例を示す図である。
【図６】報酬メニューの一例を示す図である。
【図７】本実施形態に係る蓄電管理装置におけるＤＲ指令に応じるか否かを判定する処理（その１）を示す図である。
【図８】本実施形態に係る蓄電管理装置におけるＤＲ指令に応じるか否かを判定する処理（その２）を示す図である。
【図９】本実施形態に係る電力管理システムの動作の一例を示すシーケンスチャートである。
【図１０】本実施形態に係る蓄電管理装置におけるＤＲ指令に応じるか否かを判定する処理（その１）を示すフローチャートである。
【図１１】本実施形態に係る蓄電管理装置におけるＤＲ指令に応じるか否かを判定する処理（その２）を示すフローチャートである。
【図１２】本実施形態に係る蓄電管理装置におけるＤＲ指令に応じるか否かを判定する処理（その３）を示すフローチャートである。
【図１３】本実施形態に係る蓄電管理装置におけるＤＲ指令に応じるか否かを判定する処理（その４）を示すフローチャートである。
【発明を実施するための形態】
【００１９】
次に、本発明を実施するための形態を、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
【００２０】
＜第１の実施形態＞
＜電力管理システム＞
図１は、本実施形態に係る電力管理システムの概要を説明するための図である。本実施形態に係る電力管理システムは、デマンドレスポンスサーバ１００と、アグリゲータサーバ２００と、蓄電管理装置３００と、蓄電システム４００とによって構成される。デマンドレスポンスサーバ１００、アグリゲータサーバ２００、及び蓄電管理装置３００は、インターネット等のネットワーク５０と接続される。蓄電管理装置３００は蓄電システム４００と接続され、蓄電システム４００は負荷５００、及び商用系統（電力系統）と接続される。
【００２１】
デマンドレスポンスサーバ１００は、一般の電力の需要家に電力を供給する電力会社等の電力事業者によって使用される。デマンドレスポンスサーバ１００は、アグリゲータサーバ２００へデマンドレスポンス（需要応答）を発動することによって節電要請を行う。デマンドレスポンスには、需要家における消費電力が所定の契約電力以下となるように負荷５００の消費電力の抑制を行わせる指令（以下、「放電指令」という）又は商用系統の電力を蓄電システム４００に充電させる指令（以下、「充電指令」という）が含まれる。
【００２２】
アグリゲータサーバ２００は、予め契約した所定の需要家に節電を要請する。アグリゲータサーバ２００は、デマンドレスポンスサーバ１００によって供給されるデマンドレスポンスに基づいて、蓄電管理装置３００へデマンドレスポンスの予告通知を行う。そして、アグリゲータサーバ２００は、デマンドレスポンスを実行させる時刻となった場合に、デマンドレスポンスの予告通知に対してデマンドレスポンス指令に応じることを通知した蓄電管理装置３００へ、デマンドレスポンス指令を発動（送信）する。
【００２３】
蓄電管理装置３００は、蓄電システム４００を制御することによって、需要家のピークカット、蓄電システム４００へ充電させる制御等を行う。蓄電管理装置３００は、アグリゲータサーバ２００によって送信されるデマンドレスポンスの予告通知に基づいて、デマンドレスポンス指令に応じることができるか否かを判定する。
【００２４】
例えば、蓄電管理装置３００は、デマンドレスポンスの予告通知に充電処理を表す情報が含まれる場合に、該充電処理を表す情報で指定される充電する電力量と、デマンドレスポンスの予告通知を受信してから持続時間中の電力の需要と、契約電力とに基づいて、デマンドレスポンス指令に応じることができるか否かを判定する。そして、蓄電管理装置３００は、デマンドレスポンス指令に応じることができると判定した場合にはアグリゲータサーバ２００へデマンドレスポンス指令に応じることを通知し、デマンドレスポンス指令に応じることができないと判定した場合にはアグリゲータサーバ２００へデマンドレスポンス指令に応じることができないことを通知する。
【００２５】
ただし、蓄電管理装置３００は、充電処理を表す情報で指定される充電する電力量と、デマンドレスポンスの予告通知を受信してから持続時間中の電力の需要と、契約電力とに基づいてデマンドレスポンス指令に応じることができないと判定した場合であっても、デマンドレスポンス指令が受信されるまでに放電処理ができる場合には、デマンドレスポンス指令に応じることができると判定する。
【００２６】
また、例えば、蓄電管理装置３００は、デマンドレスポンスの予告通知に放電処理を表す情報が含まれる場合に、該放電処理を表す情報で指定される放電する電力量と、負荷追従運転によって出力される電力と、二次電池の定格出力と、デマンドレスポンスの予告通知を受信してから持続時間中の充電残量とに基づいて、デマンドレスポンス指令に応じることができるか否かを判定する。そして、蓄電管理装置３００は、デマンドレスポンス指令に応じることができると判定した場合にはアグリゲータサーバ２００へデマンドレスポンス指令に応じることを通知し、デマンドレスポンス指令に応じることができないと判定した場合にはアグリゲータサーバ２００へデマンドレスポンス指令に応じることができないことを通知する。
【００２７】
ただし、蓄電管理装置３００は、放電処理を表す情報で指定される放電する電力量と、負荷追従運転によって出力される電力と、二次電池の定格出力と、デマンドレスポンスの予告通知を受信してから持続時間中の充電残量とに基づいてデマンドレスポンス指令に応じることができないと判定した場合であっても、デマンドレスポンス指令が受信されるまでに充電できる場合には、デマンドレスポンス指令に応じることができると判定する。
【００２８】
蓄電管理装置３００は、アグリゲータサーバ２００へデマンドレスポンス指令に応じることを通知し、アグリゲータサーバ２００からデマンドレスポンス指令が発動された場合、デマンドレスポンス指令によって指定される節電処理を実行する。
例えば、デマンドレスポンス指令に充電指令が含まれる場合に、蓄電管理装置３００は、蓄電システム４００に、商用系統の電力を充電させる。したがって、充電指令に応じる場合には、蓄電システム４００は充電されるため、充電残量は増加する。
【００２９】
また、例えば、デマンドレスポンス指令に放電指令が含まれる場合に、蓄電管理装置３００は、需要家における消費電力が所定の契約電力以下となるように蓄電システム４００に、負荷５００の消費電力を抑制させる。例えば、蓄電システム４００は、蓄電システム４００に充電された電力を負荷５００に供給し、負荷５００を動作させることによって消費電力を抑制させる。したがって、放電指令に応じる場合には、蓄電システム４００は放電されるため、充電残量は減少する。
【００３０】
蓄電システム４００は、電力を充電又は放電する機能を有する装置である。例えば、蓄電システム４００は、需要家に設置されている。蓄電システム４００は、ＮＡＳ電池（ナトリウム硫黄電池）、鉛蓄電池、リチウムイオン電池、レドックスフロー電池等の二次電池（蓄電池）を用いた蓄電地システムである。本実施形態に係る電力管理システムでは、一例として、蓄電システム４００がＮＡＳ電池を使用する場合について説明を続ける。しかし、蓄電システム４００がＮＡＳ電離以外の二次電池を使用してもよい。
負荷５００は、例えば、需要家に設置されたエアコン等、電力を使用して動作する電気機器である。
【００３１】
＜デマンドレスポンスサーバ＞
図２は、本実施形態に係るデマンドレスポンスサーバ１００のハードウェア構成例を示す。
デマンドレスポンスサーバ１００は、中央処理装置（Ｃｅｎｔｒａｌ  Ｐｒｏｃｅｓｓｉｎｇ  Ｕｎｉｔ：  ＣＰＵ）１５２と、ＲＯＭ（Ｒｅａｄ  Ｏｎｌｙ  Ｍｅｍｏｒｙ）１５４と、ＲＡＭ（Ｒａｎｄｏｍ  Ａｃｃｅｓｓ  Ｍｅｍｏｒｙ）１５６と、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性メモリ１５８とを備える。さらに、デマンドレスポンスサーバ１００は、ネットワークＩ／Ｆ１６０と、ＨＤＤ（Ｈａｒｄ  Ｄｉｓｃ  Ｄｒｉｖｅ）１６２と、各構成要素を図２に示されているように電気的に接続するためのアドレスバスやデータバス等のバスライン１６４を備える。
【００３２】
ＣＰＵ１５２は、デマンドレスポンスサーバ１００全体の制御を行う。ＲＯＭ１５４は、ＣＰＵ１５２の駆動に用いられるプログラムを記憶する。ＲＡＭ１５６は、プログラムの実行領域である。不揮発性メモリ１５８は、デマンドレスポンスサーバ１００の制御に関連するプログラム１５８２を格納する。ネットワークＩ／Ｆ１６０は、ネットワーク５０を介して、他の装置との間で通信を行う。
【００３３】
ＨＤＤ１６２は、デマンドレスポンスサーバ１００がデマンドレスポンスを実行するための情報を格納する。デマンドレスポンスを実行するための情報の一例は、デマンドレスポンスの予告通知を送信する時間や、デマンドレスポンス指令を発動する時間等が含まれるＤＲメニュー１６２２である。ＤＲメニュー１６２２の詳細については後述する。
【００３４】
＜アグリゲータサーバ＞
本実施形態に係るアグリゲータサーバ２００のハードウェア構成例は、図２を適用できる。ただし、アグリゲータサーバ２００の不揮発性メモリ１５８にはアグリゲータサーバ２００全体の制御に関連するプログラムが格納され、アグリゲータサーバ２００のＣＰＵ１５２が該プログラムを実行することによって、アグリゲータサーバ２００として機能する。
【００３５】
＜蓄電管理装置＞
本実施形態に係る蓄電管理装置３００のハードウェア構成例は、図２を適用できる。ただし、蓄電管理装置３００の不揮発性メモリ１５８には蓄電管理装置３００全体の制御に関連するプログラムが格納され、蓄電管理装置３００のＣＰＵ１５２が該プログラムを実行することによって、蓄電管理装置３００として機能する。
【００３６】
＜本実施形態の機能構成＞
図３は、本実施形態に係るデマンドレスポンスサーバ１００、アグリゲータサーバ２００、及び蓄電管理装置３００の機能ブロック図である。図３では、デマンドレスポンスサーバ１００、アグリゲータサーバ２００、及び蓄電管理装置３００が、ネットワーク５０を介してデータ通信することができるように接続されている。
【００３７】
＜デマンドレスポンスサーバの機能構成＞
デマンドレスポンスサーバ１００は、送受信部１０２、制御部１０４、ＤＲ処理部１０６、記憶部１０８、及び上記各構成要素を図３に示されているように電気的に接続するためのアドレスバスやデータバス等のバスライン１１０を有している。これらの各部は、図２に示されている各構成要素のいずれかが、デマンドレスポンスサーバ１００の不揮発性メモリ１５８からＲＡＭ１５６上の展開されたプログラム１５８２を実行するＣＰＵ１５２からの命令によって動作することで実現される機能である。記憶部１０８には、ＤＲメニュー１０８２が格納される。
【００３８】
＜デマンドレスポンスサーバの各機能構成＞
図２及び図３を用いて、デマンドレスポンスサーバ１００の各機能構成について詳細に説明する。なお、以下では、デマンドレスポンスサーバ１００の各機能構成を説明するにあたって、図２に示されている各構成要素のうち、デマンドレスポンスサーバ１００の各機能構成を実現させるための主なハードウェアの構成要素との関係も説明する。
【００３９】
図３に示されているデマンドレスポンスサーバ１００の送受信部１０２は、ＣＰＵ１５２からの命令、及びネットワークＩ／Ｆ１６０によって実現される。送受信部１０２は、ネットワーク５０を介して、アグリゲータサーバ２００等の他の装置との間で各種データの送受信を行う。
【００４０】
制御部１０４は、ＣＰＵ１５２からの命令によって実現される。制御部１０４は、デマンドレスポンスサーバ１００の全体を統括して制御する。例えば、制御部１０４は、ＤＲ処理部１０６を制御することによって、予め契約した需要家に節電を要請するための制御を行う。
ＤＲ処理部１０６は、ＣＰＵ１５２からの命令によって実現される。ＤＲ処理部１０６は、制御部１０４による制御によって、アグリゲータサーバ２００へ送信するデマンドレスポンスを作成する。上述したように、デマンドレスポンスには、充電指令又は放電指令が含まれる。
【００４１】
記憶部１０８には、ＤＲメニュー１０８２が格納される。ＤＲメニュー１０８２は、ＤＲメニュー１６２２に対応する。ＤＲメニューには、デマンドレスポンスの予告通知を送信する時間を表す情報、デマンドレスポンス指令を送信する時間帯を表す情報等が含まれる。
【００４２】
図４は、ＤＲメニュー１０８２の一例を示す。
デマンドレスポンスは、デマンドレスポンスの予告通知を送信してからデマンドレスポンス指令を発動するまでの時間によって、「デマンドレスポンス（１）」、「デマンドレスポンス（２）」、及び「デマンドレスポンス（３）」の３種類に分類されるが、これに限定されない。
【００４３】
「デマンドレスポンス（１）」は、デマンドレスポンスの予告通知を送信する日時がデマンドレスポンス指令を送信する日時の１０分前である。「デマンドレスポンス（２）」は、デマンドレスポンスの予告通知を送信する日時がデマンドレスポンス指令を送信する日時の１時間前である。「デマンドレスポンス（３）」は、デマンドレスポンスの予告通知を送信する日時がデマンドレスポンス指令を送信する日時の前日である。
図４には、「デマンドレスポンス（１）」、「デマンドレスポンス（２）」、及び「デマンドレスポンス（３）」のそれぞれについて、デマンドレスポンス指令を発動する時季、及び該時季の各々についてデマンドレスポンス指令を発動する時間帯が示されているが、これに限定されない。
【００４４】
デマンドレスポンスの処理が開始されるに当たり、「デマンドレスポンス（１）」、「デマンドレスポンス（２）」、及び「デマンドレスポンス（３）」のいずれかが予め設定される。
ＤＲ処理部１０６は、送受信部１０２からアグリゲータサーバ２００へ、デマンドレスポンスを送信させる。例えば、ＤＲ処理部１０６は、アグリゲータサーバ２００から蓄電管理装置３００へデマンドレスポンスの予告通知を送信できる時間にデマンドレスポンス指令を送信させる。
【００４５】
具体的には、「デマンドレスポンス（１）」に設定されている場合には、ＤＲ処理部１０６は、アグリゲータサーバ２００から蓄電管理装置３００へデマンドレスポンス指令が送信される１０分以上前にデマンドレスポンスを送信する。また、「デマンドレスポンス（２）」に設定されている場合には、ＤＲ処理部１０６は、アグリゲータサーバ２００から蓄電管理装置３００へデマンドレスポンス指令が送信される１時間以上前にデマンドレスポンスを送信する。また、「デマンドレスポンス（３）」に設定されている場合には、ＤＲ処理部１０６は、アグリゲータサーバ２００から蓄電管理装置３００へデマンドレスポンス指令が送信される前日以上前にデマンドレスポンスを送信する。
図３に戻り、説明を続ける。
【００４６】
＜アグリゲータサーバの機能構成＞
アグリゲータサーバ２００は、送受信部２０２、制御部２０４、ＤＲ処理部２０６、精算部２０８、記憶部２１０、及び上記各構成要素を図３に示されているように電気的に接続するためのアドレスバスやデータバス等のバスライン２１２を有している。これらの各部は、図３に示されている各構成要素のいずれかが、アグリゲータサーバ２００の不揮発性メモリ１５８からＲＡＭ１５６上に展開されたプログラム１５８２を実行するＣＰＵ１５２からの命令によって動作することで実現される機能である。記憶部２１０には、ＤＲメニュー２１０２、ＤＲメニュー２１０４、及び報酬メニュー２１０６が格納される。
【００４７】
＜アグリゲータサーバの各機能構成＞
図２及び図３を用いて、アグリゲータサーバ２００の各機能構成について詳細に説明する。なお、以下では、アグリゲータサーバ２００の各機能構成を説明するにあたって、図２に示されている各構成要素のうち、アグリゲータサーバ２００の各機能構成を実現させるための主なハードウェアの構成要素との関係も説明する。
【００４８】
図３に示されているアグリゲータサーバ２００の送受信部２０２は、ＣＰＵ１５２からの命令、及びネットワークＩ／Ｆ１６０によって実現される。送受信部２０２は、ネットワーク５０を介して、デマンドレスポンスサーバ１００、蓄電管理装置３００等の他の装置との間で各種データの送受信を行う。
【００４９】
制御部２０４は、ＣＰＵ１５２からの命令によって実現される。制御部２０４は、アグリゲータサーバ２００の全体を統括して制御する。例えば、制御部２０４は、デマンドレスポンスサーバ１００によって送信されるデマンドレスポンスが送受信部２０２から供給された場合に、ＤＲ処理部２０６へデマンドレスポンスを行う命令を出力する。そして、制御部２０４は、ＤＲ処理部２０６を制御することによって、予め契約した需要家に節電を要請する制御を行う。
【００５０】
ＤＲ処理部２０６は、ＣＰＵ１５２からの命令によって実現される。ＤＲ処理部２０６は、制御部２０４によってデマンドレスポンスを行う命令が供給された場合に、予め契約した需要家に節電を要請する制御を行う。
デマンドレスポンスの処理が開始されるに当たり、「デマンドレスポンス（１）」、「デマンドレスポンス（２）」、及び「デマンドレスポンス（３）」のいずれかが予め設定されている。
【００５１】
ＤＲ処理部２０６は、送受信部２０２に蓄電管理装置３００へ、デマンドレスポンスの予告通知を送信させる。例えば、ＤＲ処理部２０６は、「デマンドレスポンス（１）」が設定されている場合、送受信部２０２にデマンドレスポンス指令を送信する３０分前にデマンドレスポンスの予告通知を送信させる。ＤＲ処理部２０６は、「デマンドレスポンス（２）」が設定されている場合、送受信部２０２にデマンドレスポンス指令を送信する１時間前にデマンドレスポンスの予告通知を送信させる。ＤＲ処理部２０６は、「デマンドレスポンス（３）」が設定されている場合、送受信部２０２にデマンドレスポンス指令を送信する前日にデマンドレスポンスの予告通知を送信させる。
また、ＤＲ処理部２０６は、送受信部２０２に蓄電管理装置３００へ、デマンドレスポンス指令を送信させる。例えば、ＤＲ処理部２０６は、デマンドレスポンスの予告通知に対してデマンドレスポンスに応じることを通知した蓄電管理装置へ、送受信部２０２にデマンドレスポンス指令を送信させる。
【００５２】
精算部２０８は、ＣＰＵ１５２からの命令によって実現される。精算部２０８は、ＤＲ処理部２０６によって、需要家側に要請した節電処理が終了した場合に、該需要家への報酬を計算する。また、精算部２０８は、需要家側へ要請した節電処理ができなかった場合、需要家へのペナルティを計算する。
記憶部２１０には、ＤＲメニュー２１０２、ＤＲメニュー２１０４、及び報酬メニュー２１０６が格納される。ＤＲメニュー２１０２は、図４に示されるＤＲメニュー１０８２を適用できる。
【００５３】
図５は、ＤＲメニュー２１０４の一例を示す。
ＤＲメニュー２１０４には、「デマンドレスポンス（１）」、「デマンドレスポンス（２）」、及び「デマンドレスポンス（３）」のそれぞれについて、１回のデマンドレスポンス指令で蓄電管理装置３００に節電を実行させたまま持続させる時間（以下、「持続時間」という）と、１か月の間にデマンドレスポンス指令を発動する最大回数と、節電量を表す情報とが記憶される。
ＤＲ処理部２０６は、１か月の間にデマンドレスポンス指令を発動する最大回数にしたがって、送受信部２０２に蓄電管理装置３００へ、デマンドレスポンス指令を送信させる。
【００５４】
図６は、報酬メニュー２１０６の一例を示す。
報酬メニュー２１０６には、「デマンドレスポンス（１）」、「デマンドレスポンス（２）」、及び「デマンドレスポンス（３）」のそれぞれについて、需要家への報酬と、需要家へのペナルティが示される。需要家への報酬には、基本報酬、及び従量報酬のそれぞれについて報酬額が示される。需要家へのペナルティには、基本報酬に対するペナルティ、及び従量報酬に対するペナルティのそれぞれについてペナルティ額が示される。
図３に戻り、説明を続ける。
精算部２０８は、需要家側に要請した節電処理が終了した場合に、図６を参照し、該需要家への報酬額を計算する。また、精算部２０８は、需要家側へ要請した節電処理ができなかった場合、図６を参照し、需要家へのペナルティ額を計算する。
【００５５】
＜蓄電管理装置の機能構成＞
蓄電管理装置３００は、送受信部３０２、ＤＲ解析部３０４、充電残量測定部３０６、負荷予測部３０８、ＤＲ可否判定部３１０、記憶部３１２、充放電制御部３１４、報酬予測部３１６、及び上記各構成要素を図３に示されているように電気的に接続するためのアドレスバスやデータバス等のバスライン３１８を有している。これらの各部は、図３に示されている各構成要素のいずれかが、蓄電管理装置３００の不揮発性メモリ１５８からＲＡＭ１５６上の展開されたプログラム１５８２を実行するＣＰＵ１５２からの命令によって動作することで実現される機能である。
【００５６】
＜蓄電管理装置の各機能構成＞
図２及び図３を用いて、蓄電管理装置３００の各機能構成について詳細に説明する。なお、以下では、蓄電管理装置３００の各機能構成を説明するにあたって、図２に示されている各構成要素のうち、蓄電管理装置３００の各機能構成を実現させるための主なハードウェアの構成要素との関係も説明する。
【００５７】
図３に示されている蓄電管理装置３００の送受信部３０２は、ＣＰＵ１５２からの命令、及びネットワークＩ／Ｆ１６０によって実現される。送受信部３０２は、ネットワーク５０を介して、アグリゲータサーバ２００等の他の装置との間で各種データの送受信を行う。
【００５８】
ＤＲ解析部３０４は、ＣＰＵ１５２からの命令によって実現される。ＤＲ解析部３０４は、送受信部３０２によって受信されるデマンドレスポンスの事前通知に含まれる情報が、充電処理を表す情報であるか放電処理を表す情報であるかを判定する。ＤＲ解析部３０４は、充電処理を表す情報又は放電処理を表す情報を充電残量測定部３０６、負荷予測部３０８、ＤＲ可否判定部３１０、報酬予測部３１６へ出力する。
【００５９】
充電残量測定部３０６は、ＣＰＵ１５２からの命令によって実現される。充電残量測定部３０６は、ＤＲ解析部３０４によって充電処理を表す情報又は放電処理を表す情報が供給された場合に、充電残量を測定する。充電残量測定部３０６は、ＤＲ可否判定部３１０へ、充電残量の測定値を出力する。
【００６０】
負荷予測部３０８は、ＣＰＵ１５２からの命令によって実現される。負荷予測部３０８は、ＤＲ解析部３０４によって充電処理を表す情報又は放電処理を表す情報が供給された場合に、負荷を予測する。負荷予測部３０８は、ＤＲ可否判定部３１０へ、負荷の予測値を出力する。
【００６１】
ＤＲ可否判定部３１０は、ＣＰＵ１５２からの命令によって実現される。ＤＲ可否判定部３１０は、充電残量測定部３０６によって供給される充電残量の測定値と、負荷予測部３０８によって供給される負荷の予測値に基づいて、デマンドレスポンスの予告通知に対して、デマンドレスポンス指令に応じるか否かを判定する。例えば、ＤＲ可否判定部３１０は、負荷の予測値に基づいて電力需要を求め、該充電需要に基づいてデマンドレスポンス指令に応じるか否かを判定する。
【００６２】
＜デマンドレスポンス指令に応じるか否かの判定例＞
蓄電管理装置３００には、パターン運転にしたがって運転するか否かが予め設定される。ここで、パターン運転は、１日のうちで充電処理を行う期間と、放電処理を行う期間とが設定され、該設定にしたがって運転を行うことをいう。パターン運転を行うことが設定された蓄電管理装置３００は、その設定にしたがって動作する。例えば、２２時から８時の間は充電処理、１３時から１６時の間は放電処理を行うように設定されている場合、蓄電管理装置３００は、その設定にしたがってパターン運転を行う。
【００６３】
＜デマンドレスポンスの事前通知に充電処理を表す情報が含まれる場合＞
図７は、充電残量の継時変化の一例（その１）を示す。横軸は時間、縦軸は充電残量を示す。「ｔ０」は蓄電管理装置３００によってデマンドレスポンスの予告通知が受信される時刻を示し、「ｔ１」は蓄電管理装置３００によってデマンドレスポンス指令が受信される時刻を示し、「ｔ２」は蓄電管理装置３００によって節電処理が終了し、該節電処理に対して充電処理、放電処理等の回復処理が開始される時刻を示し、「ｔ３」は蓄電管理装置３００によって該節電処理に対して充電処理、放電処理等の回復処理が終了する時刻を示す。
【００６４】
図７に示される例では、「ｔ０」−「ｔ１」の間で放電処理が行われ、「ｔ１」−「ｔ２」の間で充電処理が行われ、「ｔ２」−「ｔ３」の間で放電処理が行われる。
デマンドレスポンスの予告通知を受信した時刻「ｔ０」において、蓄電管理装置３００は充電残量を測定する。蓄電管理装置３００は、充電残量の測定値（ＳＯＣ０）に基づいて、充電残量の推測値（ＳＯＣ２）が充電可能な補充電領域以下であるか否かを判定する。そして、蓄電管理装置３００は、充電残量の推測値（ＳＯＣ２）が充電可能な補充電領域以下である場合にはデマンドレスポンス指令に応じることができると判定し、充電残量の推測値（ＳＯＣ２）が充電可能な補充電領域より大きい場合にはデマンドレスポンス指令に応じることができないと判定する。ここで、補充電領域とは、電池のＳＯＣにおける、充電電力が抑制される領域（充電末近傍）を示す。
【００６５】
デマンドレスポンス指令に応じることができないと判定した場合、蓄電管理装置３００は、「ｔ０」−「ｔ１」の間で放電処理を実行したと仮定した場合に「ｔ１」において得られる充電残量を推定する。蓄電管理装置３００は、「ｔ１」において得られる充電残量の推定値（ＳＯＣ１）に基づいて、デマンドレスポンス指令に応じることができるか否かを判定する。
【００６６】
また、デマンドレスポンス指令に応じることができないと判定した場合、蓄電管理装置３００は、「ｔ１」−「ｔ２」の間で充電処理を実行したと仮定し、且つ「ｔ２」−「ｔ３」の間で充電処理に対する回復処理として放電処理を実行した場合に「ｔ３」において得られる充電残量を推定する。蓄電管理装置３００は、充電残量の推定値（ＳＯＣ３）に基づいて、デマンドレスポンス指令に応じることができるか否かを判定する。
【００６７】
本実施形態に係る蓄電管理装置３００は、時刻「ｔ０」に加えて、時刻「ｔ１」、時刻「ｔ２」、及び時刻「ｔ３」において得られると推定される充電残量に基づいて、デマンドレスポンス指令に応じることができるか否かを判定する。ここで、「ｔ１」−「ｔ２」に節電処理を行うか否かの判断は、節電処理を実行した後の以下の３点の運転を考慮して行われる。
（１）節電処理を実行した後、「ｔ２」−「ｔ３」の間で行われる通常運転（通常運転には、ピークカット、ピークシフト等が含まれる）
（２）節電処理を実行した後「ｔ２」−「ｔ３」の間で実行される通常運転、節電処理を実行した後「ｔ２」−「ｔ３」の間で実行される夜間充電、節電処理を実行した後翌日の「ｔ０」−「ｔ１」の間で実行される通常運転
（３）節電終了後「ｔ２」−「ｔ３」の間で実行される通常運転、節電終了後「ｔ２」−「ｔ３」の間で実行される夜間充電、節電終了後翌日の「ｔ０」−「ｔ１」の間で実行される通常運転、節電終了後「ｔ１」−「ｔ２」の間で実行される節電処理
【００６８】
＜デマンドレスポンスの事前通知に放電処理を表す情報が含まれる場合＞
図８は、充電残量の継時変化の一例（その２）を示す。横軸は時間、縦軸は充電残量を示す。「ｔ０」は蓄電管理装置３００によってデマンドレスポンスの予告通知が受信される時刻を示し、「ｔ１」は蓄電管理装置３００によってデマンドレスポンス指令が受信される時刻を示し、「ｔ２」は蓄電管理装置３００によって節電処理が終了し、該節電処理に対して充電処理、放電処理等の回復処理が開始される時刻を示し、「ｔ３」は蓄電管理装置３００によって該節電処理に対して充電処理、放電処理等の回復処理が終了する時刻を示す。
【００６９】
図８に示される例では、「ｔ０」−「ｔ１」の間で充電処理が行われ、「ｔ１」−「ｔ２」の間で放電処理が行われ、「ｔ２」−「ｔ３」の間で充電処理が行われる。
デマンドレスポンスの予告通知を受信した時刻「ｔ０」において、蓄電管理装置３００は充電残量を測定する。蓄電管理装置３００は、充電残量の測定値（ＳＯＣ０）及び推測値（ＳＯＣ２）に基づいて、デマンドレスポンス指令に応じることができるか否かを判定する。
【００７０】
デマンドレスポンス指令に応じることができないと判定した場合、蓄電管理装置３００は、「ｔ０」−「ｔ１」の間で充電処理を実行したと仮定した場合に「ｔ１」において得られる充電残量を推定する。蓄電管理装置３００は、充電残量の推定値（ＳＯＣ１）及び充電残量の推測値（ＳＯＣ２）に基づいて、デマンドレスポンス指令に応じることができるか否かを判定する。
【００７１】
また、デマンドレスポンス指令に応じることができないと判定した場合、蓄電管理装置３００は、「ｔ１」−「ｔ２」の間で放電処理を実行したと仮定し、且つ「ｔ２」−「ｔ３」の間で放電処理に対する回復処理として充電処理を実行した場合に「ｔ３」において得られる充電残量を推定する。蓄電管理装置３００は、充電残量の推定値（ＳＯＣ３）に基づいて、デマンドレスポンス指令に応じることができるか否かを判定する。
【００７２】
本実施形態に係る蓄電管理装置３００は、時刻「ｔ０」に加え、時刻「ｔ１」、時刻「ｔ２」、及び時刻「ｔ３」において得られると推定される充電残量に基づいて、デマンドレスポンス指令に応じることができるか否かを判定する。これによって、時刻「ｔ０」において得られる充電残量に基づいてデマンドレスポンス指令に応じることができるか否かを判定する場合と比較して、デマンドレスポンス指令に応じるか否かを判定する機会を増加させることができるため、商用電源の電力使用量の削減量を増加させることができる。ここで、「ｔ１」−「ｔ２」に節電処理を行うか否かの判断は、節電処理を実行した後の以下の３点の運転を考慮して行われる。
（１）節電処理を実行した後、「ｔ２」−「ｔ３」の間で行われる通常運転（通常運転には、ピークカット、ピークシフト等が含まれる）
（２）節電処理を実行した後「ｔ２」−「ｔ３」の間で実行される通常運転、節電処理を実行した後「ｔ２」−「ｔ３」の間で実行される夜間充電、節電処理を実行した後翌日の「ｔ０」−「ｔ１」の間で実行される通常運転
（３）節電終了後「ｔ２」−「ｔ３」の間で実行される通常運転、節電終了後「ｔ２」−「ｔ３」の間で実行される夜間充電、節電終了後翌日の「ｔ０」−「ｔ１」の間で実行される通常運転、節電終了後「ｔ１」−「ｔ２」の間で実行される節電処理
以下、デマンドレスポンス指令に応じるか否かを判定する処理について具体的に説明する。
【００７３】
＜判定例（その１）＞
ＤＲ可否判定部３１０は、パターン運転にしたがって運転しないように設定され、且つデマンドレスポンスの事前通知に充電処理を表す情報が含まれる場合に以下の処理を行う。
ＤＲ可否判定部３１０は、デマンドレスポンス指令によって要求される充電する電力と電力需要との和が契約電力以下であり、且つ充電可能な充電残量がデマンドレスポンス指令を受けてから持続時間中、補充電領域以下である場合デマンドレスポンス指令に応じることができると判定する。ただし、ＤＲ可否判定部３１０は、充電可能な充電残量がデマンドレスポンス指令を受けてから持続時間中、補充電領域より大きい場合であっても、充電開始までに必要な容量の放電が可能である場合には、デマンドレスポンス指令に応じることができると判定する。
【００７４】
＜判定例（その２）＞
ＤＲ可否判定部３１０は、パターン運転にしたがって運転しないように設定され、且つデマンドレスポンスの事前通知に放電処理を表す情報が含まれる場合に以下の処理を行う。
ＤＲ可否判定部３１０は、負荷追従運転によって出力される電力が電池定格出力以下、かつ負荷追従運転によって出力される電力量が充電残量以下である場合、電池が運転可能であるか否かを判定する。例えば、電池は充放電に伴い電池の温度が上昇し、運転温度範囲を超えた場合は充放電が停止するケースがあるため、電池の温度に基づいて、電池が運転可能であるか否かを判定する。ただし、ＤＲ可否判定部３１０は、負荷追従運転によって出力される電力が電池定格出力以下だが、負荷追従運転によって出力される電力量が充電残量よりも大きいと判定した場合であっても、放電開始までに必要な容量を充電できると判定した場合には、電池が運転可能であるか否かを判定する。
【００７５】
ＤＲ可否判定部３１０は、電池が運転可能であると判定した場合、デマンドレスポンス指令によって要求される放電する電力と負荷追従運転によって出力される電力との和が電池の定格出力以下、かつデマンドレスポンス指令によって要求される放電する電力量と負荷追従運転によって出力される電力量との和が充電残量以下であり、且つ節電処理後の運転に支障がでないと判定した場合、デマンドレスポンス指令に応じることができると判定する。
【００７６】
ただし、ＤＲ可否判定部３１０は、デマンドレスポンス指令によって要求される放電する電力と負荷追従運転によって出力される電力との和が電池の定格出力超過、又はデマンドレスポンス指令によって要求される放電する電力量と負荷追従運転によって出力される電力量との和が充電残量より大きいと判定した場合であっても、デマンドレスポンス指令によって要求される放電する電力と負荷追従運転によって出力される電力との和が電池の定格出力以下であり、且つ放電開始までに必要な容量を充電できると判定した場合には、節電処理後の運転に支障がでないと判定した場合に、デマンドレスポンス指令に応じることができると判定する。ここで、ＤＲ可否判定部３１０は、節電処理後の運転に支障がでないか否かを、以下の３点に基づいて判定する。
（１）節電処理を実行した後、「ｔ２」−「ｔ３」の間で行われる通常運転（通常運転には、ピークカット、ピークシフト等が含まれる）
（２）節電処理を実行した後「ｔ２」−「ｔ３」の間で実行される通常運転、節電処理を実行した後「ｔ２」−「ｔ３」の間で実行される夜間充電、節電処理を実行した後翌日の「ｔ０」−「ｔ１」の間で実行される通常運転
（３）節電終了後「ｔ２」−「ｔ３」の間で実行される通常運転、節電終了後「ｔ２」−「ｔ３」の間で実行される夜間充電、節電終了後翌日の「ｔ０」−「ｔ１」の間で実行される通常運転、節電終了後「ｔ１」−「ｔ２」の間で実行される節電処理
【００７７】
＜判定例（その３）＞
ＤＲ可否判定部３１０は、パターン運転にしたがって運転するように設定され、且つデマンドレスポンスの事前通知に充電処理を表す情報が含まれる場合に以下の処理を行う。
ＤＲ可否判定部３１０は、デマンドレスポンス指令によって要求される充電する電力とパターン運転分が加味された電力需要との和が契約電力以下であり、且つ充電可能な充電残量がデマンドレスポンス指令を受けてから持続時間中、補充電領域以下である場合デマンドレスポンス指令に応じることができると判定する。
【００７８】
ただし、ＤＲ可否判定部３１０は、デマンドレスポンス指令によって要求される充電する電力とパターン運転分が加味された電力需要との和が契約電力より大きい値であっても、運転パターンの変更が可能である場合には、デマンドレスポンス指令によって要求される充電する電力と変更されたパターン運転分が加味された電力需要との和が契約電力以下であり、且つ充電可能な充電残量がデマンドレスポンス指令を受けてから持続時間中、補充電領域以下である場合デマンドレスポンス指令に応じることができると判定する。
また、ＤＲ可否判定部３１０は、充電可能な充電残量がデマンドレスポンス指令を受けてから持続時間中、補充電領域より大きい値であっても、デマンドレスポンス指令までに必要な容量の放電が可能である場合には、デマンドレスポンス指令に応じることができると判定する。
【００７９】
＜判定例（その４）＞
ＤＲ可否判定部３１０は、パターン運転にしたがって運転するように設定され、且つデマンドレスポンスの事前通知に放電処理を表す情報が含まれる場合に以下の処理を行う。
ＤＲ可否判定部３１０は、負荷追従運転によって出力される電力が電池の定格出力以下、かつ負荷追従運転によって出力される電力量が充電残量以下であるか否かを判定する。
【００８０】
負荷追従運転によって出力される電力が電池の定格出力以下、かつ負荷追従運転によって出力される電力量が充電残量以下である場合、ＤＲ可否判定部３１０は、負荷追従運転によって出力される電力とパターン運転にしたがって充放電される電力とデマンドレスポンス指令によって要求される放電する電力との和が電池の定格出力以下、かつ負荷追従運転によって出力される電力量とパターン運転にしたがって充放電される電力量とデマンドレスポンス指令によって要求される放電する電力量との和が充電残量以下であるか否かを判定する。
ただし、負荷追従運転によって出力される電力が電池の定格出力超過、又は負荷追従運転によって出力される電力量が充電残量より大きい場合であっても、負荷追従運転によって出力される電力が電池の定格出力以下であり、且つ放電を開始するまでに必要な容量を充電できる場合には、ＤＲ可否判定部３１０は、負荷追従運転によって出力される電力とパターン運転にしたがって充放電される電力とデマンドレスポンス指令によって要求される放電する電力との和が電池の定格出力以下、かつ負荷追従運転によって出力される電力量とパターン運転にしたがって充放電される電力量とデマンドレスポンス指令によって要求される放電する電力量との和が充電残量以下であるか否かを判定する。
【００８１】
負荷追従運転によって出力される電力とパターン運転にしたがって充放電される電力とデマンドレスポンス指令によって要求される放電する電力との和が電池の定格出力以下、かつ負荷追従運転によって出力される電力量とパターン運転にしたがって充放電される電力量とデマンドレスポンス指令によって要求される放電する電力量との和が充電残量以下である場合、ＤＲ可否判定部３１０は、電池が運転可能であるか否かを判定する。例えば、ＤＲ可否判定部３１０は、電池の温度に基づいて、電池が運転可能であるか否かを判定する。
ただし、負荷追従運転によって出力される電力とパターン運転によって充放電される電力とデマンドレスポンス指令によって要求される放電する電力との和が電池の定格出力超過、又は負荷追従運転によって出力される電力量とパターン運転によって充放電される電力量とデマンドレスポンス指令によって要求される放電する電力量との和が充電残量より大きい場合であっても、ＤＲ可否判定部３１０は、負荷追従運転によって出力される電力とパターン運転によって充放電される電力とデマンドレスポンス指令によって要求される放電する電力との和が電池の定格出力以下であり、且つ放電開始までに必要な容量を充電できると判定した場合、電池が運転可能であるか否かを判定する。
また、負荷追従運転によって出力される電力とパターン運転によって充放電される電力とデマンドレスポンス指令によって要求される放電する電力との和が電池の定格出力より大きい、又は放電開始までに必要な容量を充電できない場合であっても、運転パターンの変更が可能である場合には、負荷追従運転によって出力される電力とパターン運転によって充放電される電力とデマンドレスポンス指令によって要求される放電する電力との和が電池の定格出力以下、かつ負荷追従運転によって出力される電力量とパターン運転によって充放電される電力量とデマンドレスポンス指令によって要求される放電する電力量との和が充電残量以下である場合、電池が運転可能であるか否かを判定する。
【００８２】
ＤＲ可否判定部３１０は、電池が運転可能であると判定し、且つ節電処理後の運転に支障がでない場合、デマンドレスポンス指令に応じることができると判定する。
ＤＲ可否判定部３１０は、デマンドレスポンス指令に応じることができると判定した場合デマンドレスポンス指令に応じることができることを送受信部３０２からアグリゲータサーバ２００へ通知する。また、ＤＲ可否判定部３１０は、デマンドレスポンス指令に応じることができないと判定した場合デマンドレスポンス指令に応じることができないことを送受信部３０２からアグリゲータサーバ２００へ通知する。
【００８３】
記憶部３１２には、契約電力情報３１２２と、報酬メニュー３１２４とが格納される。
報酬メニュー３１２４は、上述した報酬メニュー２１０６を適用できる。
充放電制御部３１４は、アグリゲータサーバ２００によって送信されるデマンドレスポンス指令が送受信部３０２に受信された場合、該デマンドレスポンス指令に含まれる充電指令又は放電指令にしたがって、蓄電システム４００を制御する。
【００８４】
報酬予測部３１６は、充放電制御部３１４によって行われた充放電制御が終了したと仮定した場合又はデマンドレスポンスの予告通知に対してデマンドレスポンス指令に応じることができないことを通知したと仮定した場合の報酬額を予測する。
ＤＲ可否判定部３１０は、報酬予測部３１６によって予測された報酬額に基づいて、デマンドレスポンス指令に応じるか否かを判定するようにしてもよい。
【００８５】
＜電力管理システムの動作＞
図９は、本実施形態に係る電力管理システムの動作の一例を示す。
ステップＳ９０２では、デマンドレスポンスサーバ１００のＤＲ処理部１０６は、送受信部１０２からアグリゲータサーバ２００へデマンドレスポンスを送信する。
【００８６】
ステップＳ９０４では、アグリゲータサーバ２００のＤＲ処理部２０６は、送受信部２０２によってデマンドレスポンスサーバ１００が送信したデマンドレスポンス指令が受信されると、送受信部２０２から蓄電管理装置３００へデマンドレスポンスの予告通知を送信する。
【００８７】
ステップＳ９０６では、蓄電管理装置３００のＤＲ解析部３０４は、送受信部３０２によってアグリゲータサーバ２００が送信したデマンドレスポンスの予告通知が受信されると、該デマンドレスポンスの予告通知によって、充電指令が行われるか放電指令が行われるか判定する。
【００８８】
ステップＳ９０８では、蓄電管理装置３００の充電残量測定部３０６は、充電残量を確認する。
【００８９】
ステップＳ９１０では、蓄電管理装置３００の負荷予測部３０８は、負荷を予測する。
ステップＳ９１２では、蓄電管理装置３００のＤＲ可否判定部３１０は、デマンドレスポンスの可否を判定する。
ステップＳ９１４では、蓄電管理装置３００のＤＲ可否判定部３１０は、デマンドレスポンスの可否の判定結果を含むデマンドレスポンス応答をアグリゲータサーバ２００へ送信する。
【００９０】
＜デマンドレスポンス指令へ応じるか否かを判定する動作＞
図１０−図１３を参照して、デマンドレスポンス指令へ応じるか否かを判定する処理を示す。ここでは、一例として、図７及び図８に示した時刻「ｔ０」又は時刻「ｔ１」においてデマンドレスポンス指令への応否を判定する場合について説明する。時刻「ｔ１」の後に、節電処理が行われ、その後充電処理又は放電処理を行う場合については、図７、及び図８を適用できる。
【００９１】
図１０は、デマンドレスポンス指令へ応じるか否か判定する動作（その１）を示すフローチャートである。図１０に示される例では、蓄電管理装置３００は、パターン運転にしたがって運転しないように設定されている。
ステップＳ１００２では、蓄電管理装置３００のＤＲ解析部３０４は、送受信部３０２によって受信されたデマンドレスポンスの予告通知が充電指令を予告するものであるか否かを判定する。
【００９２】
ステップＳ１００４は、蓄電管理装置３００のＤＲ可否判定部３１０によって、ステップＳ１００２においてデマンドレスポンスの予告通知が充電指令を予告するものであると判定された場合に実行される。ステップＳ１００４では、ＤＲ可否判定部３１０は、デマンドレスポンス指令によって要求される充電する電力と電力需要との和が契約電力以下であるか否かを判定する。
【００９３】
ステップＳ１００６は、ステップＳ１００４においてデマンドレスポンス指令によって要求される充電する電力と電力需要との和が契約電力以下であると判定された場合に実行される。ステップＳ１００６では、ＤＲ可否判定部３１０は、充電可能な充電残量がデマンドレスポンス指令を受けてから持続時間中、補充電領域以下であるか否かを判定する。
【００９４】
ステップＳ１００８は、ステップＳ１００６において充電可能な充電残量がデマンドレスポンス指令を受けてから持続時間中、補充電領域より大きいと判定された場合に実行される。ステップＳ１００８では、ＤＲ可否判定部３１０は、充電開始までに必要な容量の放電が可能であるか否かを判定する。
【００９５】
ステップＳ１０１０は、ステップＳ１００６において充電可能な充電残量がデマンドレスポンス指令を受けてから持続時間中、補充電領域以下であると判定された場合又はステップＳ１００８において充電開始までに必要な容量の放電が可能であると判定された場合に実行される。ステップＳ１０１０では、ＤＲ可否判定部３１０は、デマンドレスポンス指令に応じることが可能であると判定する。
【００９６】
ステップＳ１０１２は、ステップＳ１００４においてデマンドレスポンス指令によって要求される充電する電力と電力需要との和が契約電力より大きいと判定された場合、又はステップＳ１００８において充電開始までに必要な容量の放電が不可能であると判定された場合に実行される。ステップＳ１０１２では、ＤＲ可否判定部３１０は、デマンドレスポンス指令に応じることができないと判定する。
【００９７】
図１１は、デマンドレスポンス指令に応じるか否かを判定する動作（その２）を示すフローチャートである。図１１に示される例では、図１０のステップＳ１００２においてデマンドレスポンスの予告通知が充電指令を予告するものでないと判定された場合に実行される。
ステップＳ１１０２では、ＤＲ可否判定部３１０は、負荷追従運転によって出力される電力が電池定格出力以下、かつ負荷追従運転によって出力される電力量が充電残量以下であるか否かを判定する。
【００９８】
ステップＳ１１０４は、ステップＳ１１０２において負荷追従運転によって出力される電力が電池定格出力超過、又は負荷追従運転によって出力される電力量が充電残量より大きいと判定された場合に実行される。ステップＳ１１０４では、ＤＲ可否判定部３１０は、負荷追従運転によって出力される電力が電池定格出力以下であり、且つ放電開始までに必要な容量を充電できるか否かを判定する。
【００９９】
ステップＳ１１０６は、ステップＳ１１０２において負荷追従運転によって出力される電力が電池定格出力以下、かつ負荷追従運転によって出力される電力量が充電残量以下であると判定された場合に実行される。また、ステップＳ１１０６は、ステップＳ１１０４において負荷追従運転によって出力される電力が電池定格出力以下であり、且つ放電開始までに必要な容量を充電できる判定された場合に実行される。ステップＳ１１０６では、ＤＲ可否判定部３１０は、電池の運転が可能であるか否かを判定する。
【０１００】
ステップＳ１１０８は、ステップＳ１１０６において電池の運転が可能であると判定された場合に実行される。ステップＳ１１０８では、ＤＲ可否判定部３１０は、デマンドレスポンス指令によって要求される放電する電力と負荷追従運転によって出力される電力との和が電池の定格出力以下、かつデマンドレスポンス指令によって要求される放電する電力量と負荷追従運転によって出力される電力量との和が充電残量以下であるか否かを判定する。
【０１０１】
ステップＳ１１１０は、ステップＳ１１０８においてデマンドレスポンス指令によって要求される放電する電力と負荷追従運転によって出力される電力との和が電池の定格出力超過、又はデマンドレスポンス指令によって要求される放電する電力量と負荷追従運転によって出力される電力量との和が充電残量より大きいと判定された場合に実行される。ステップＳ１１１０では、ＤＲ可否判定部３１０は、デマンドレスポンス指令によって要求される放電する電力と負荷追従運転によって出力される電力との和が電池の定格出力以下であり、且つ放電開始までに必要な容量を充電できるか否かを判定する。
【０１０２】
ステップＳ１１１２は、ステップＳ１１０８においてデマンドレスポンス指令によって要求される放電する電力と負荷追従運転によって出力される電力との和が電池の定格出力以下、かつデマンドレスポンス指令によって要求される放電する電力量と負荷追従運転によって出力される電力量との和が充電残量以下である判定された場合に実行される。ステップＳ１１１２では、ＤＲ可否判定部３１０は、節電処理後の運転に支障がでないか否かを判定する。ここで、ＤＲ可否判定部３１０は、節電処理後の運転に支障がでないか否かを、以下の３点に基づいて判定する。
（１）節電処理を実行した後、「ｔ２」−「ｔ３」の間で行われる通常運転（通常運転には、ピークカット、ピークシフト等が含まれる）
（２）節電処理を実行した後「ｔ２」−「ｔ３」の間で実行される通常運転、節電処理を実行した後「ｔ２」−「ｔ３」の間で実行される夜間充電、節電処理を実行した後翌日の「ｔ０」−「ｔ１」の間で実行される通常運転
（３）節電終了後「ｔ２」−「ｔ３」の間で実行される通常運転、節電終了後「ｔ２」−「ｔ３」の間で実行される夜間充電、節電終了後翌日の「ｔ０」−「ｔ１」の間で実行される通常運転、節電終了後「ｔ１」−「ｔ２」の間で実行される節電処理
【０１０３】
ステップＳ１１１４は、ステップＳ１１１２において節電処理後の運転に支障がでないと判定された場合に実行される。ステップＳ１１１４では、ＤＲ可否判定部３１０は、ＤＲに応じることが可能であると判定する。
【０１０４】
ステップＳ１１１６は、ステップＳ１１０４において負荷追従運転によって出力される電力が電池定格出力より大きい、又は放電開始までに必要な容量を充電できないと判定された場合に実行される。また、ステップＳ１１１６は、ステップＳ１１０６において電池が運転不可能であると判定された場合に実行される。また、ステップＳ１１１６は、ステップＳ１１１０においてデマンドレスポンス指令によって要求される放電する電力と負荷追従運転によって出力される電力との和が電池の定格出力より大きい、又は放電開始までに必要容量を充電不可能である判定された場合に実行される。また、ステップＳ１１１６は、ステップＳ１１１２において節電処理後の運転に支障がでると判定された場合に実行される。ステップＳ１１１６では、ＤＲ可否判定部３１０は、ＤＲに応じることが不可能であると判定する。
【０１０５】
図１２は、デマンドレスポンス指令に応じるか否かを判定する動作（その３）を示すフローチャートである。図１２に示される例では、蓄電管理装置３００は、パターン運転にしたがって運転するように設定されている。
ステップＳ１２０２では、蓄電管理装置３００のＤＲ解析部３０４は、送受信部３０２によって受信されたデマンドレスポンスの予告通知が充電指令を予告するものであるか否かを判定する。
【０１０６】
ステップＳ１２０４は、ステップＳ１２０２において、蓄電管理装置３００のＤＲ可否判定部３１０によってデマンドレスポンスの予告通知が充電指令を予告するものであると判定された場合に実行される。ステップＳ１２０４では、ＤＲ可否判定部３１０は、デマンドレスポンス指令によって要求される充電する電力とパターン運転分が加味された電力需要との和が契約電力以下であるか否かを判定する。
【０１０７】
ステップＳ１２０６は、ステップＳ１２０４においてデマンドレスポンス指令によって要求される充電する電力とパターン運転分が加味された電力需要との和が契約電力以下であると判定された場合に実行される。ステップＳ１２０６では、ＤＲ可否判定部３１０は、充電可能な充電残量がデマンドレスポンス指令を受けてから持続時間中、補充電領域以下であるか否かを判定する。
【０１０８】
ステップＳ１２０８は、ステップＳ１２０６において充電可能な充電残量がデマンドレスポンス指令を受けてから持続時間中、補充電領域より大きいと判定された場合に実行される。ステップＳ１２０８では、ＤＲ可否判定部３１０は、デマンドレスポンス指令までに必要な容量の放電が可能であるか否かを判定する。
【０１０９】
ステップＳ１２１０は、ステップＳ１２０６において充電可能な充電残量がデマンドレスポンス指令を受けてから持続時間中、補充電領域以下であると判定された場合に実行される。また、ステップＳ１２１０は、ステップＳ１２０８においてデマンドレスポンス指令までに必要な容量の放電が可能であると判定された場合に実行される。ステップＳ１２１０では、ＤＲ可否判定部３１０は、デマンドレスポンス指令に応じることが可能であると判定する。
【０１１０】
ステップＳ１２１２は、ステップＳ１２０４においてデマンドレスポンス指令によって要求される充電する電力とパターン運転分が加味された電力需要との和が契約電力より大きいと判定された場合に実行される。ステップＳ１２１２では、ＤＲ可否判定部３１０は、パターン運転を変更できるか否かを判定する。ステップＳ１２１２において、ＤＲ可否判定部３１０がパターン運転の変更が可能であると判定した場合、ステップＳ１２０４へ移行する。
【０１１１】
ステップＳ１２１４は、ステップＳ１２１２においてパターン運転の変更が不可能であると判定された場合、又はステップＳ１２０８においてデマンドレスポンス指令までに必要な容量の放電が不可能であると判定された場合に実行される。ステップＳ１２１４では、ＤＲ可否判定部３１０は、デマンドレスポンスに応じることが不可能であると判定する。
【０１１２】
図１３は、デマンドレスポンス指令に応じるか否か判定する動作（その４）を示すフローチャートである。図１３に示される例では、図１２のステップＳ１２０２においてデマンドレスポンスの予告通知が充電指令を予告するものであると判定されなかった場合に実行される。
ステップＳ１３０２では、ＤＲ可否判定部３１０は、負荷追従運転によって出力される電力が電池定格出力以下、かつ負荷追従運転によって出力される電力量が充電残量以下であるか否かを判定する。
【０１１３】
ステップＳ１３０４は、ステップＳ１３０２において負荷追従運転によって出力される電力が電池定格出力超過、又は負荷追従運転によって出力される電力量が充電残量より大きいと判定された場合に実行される。ステップＳ１３０４では、ＤＲ可否判定部３１０は、負荷追従運転によって出力される電力が電池定格出力以下であり、且つ放電開始までに必要な容量を充電できるか否かを判定する。
【０１１４】
ステップＳ１３０６は、ステップＳ１３０２において負荷追従運転によって出力される電力が電池定格出力以下、かつ負荷追従運転によって出力される電力量が充電残量以下であると判定された場合に実行される。また、ステップＳ１３０６は、ステップＳ１３０４において負荷追従運転によって出力される電力が電池定格出力以下であり、且つ放電開始までに必要な容量を充電できると判定された場合に実行される。ステップＳ１３０６では、ＤＲ可否判定部３１０は、負荷追従運転によって出力される電力とパターン運転による出力とデマンドレスポンスによって要求される放電する電力との和が電池の定格出力以下、かつ負荷追従運転によって出力される電力量とパターン運転による出力量とデマンドレスポンスによって要求される放電する電力量との和が充電残量以下であるか否かを判定する。
【０１１５】
ステップＳ１３０８は、ステップＳ１３０６において負荷追従運転によって出力される電力とパターン運転による出力とデマンドレスポンスによって要求される放電する電力との和が電池の定格出力超過、又は負荷追従運転によって出力される電力量とパターン運転による出力量とデマンドレスポンスによって要求される放電する電力量との和が充電残量より大きいと判定された場合に実行される。ステップＳ１３０８では、ＤＲ可否判定部３１０は、負荷追従運転によって出力される電力とパターン運転による出力とデマンドレスポンスによって要求される放電する電力との和が電池の定格出力以下であり、且つ放電開始までに必要容量を充電可能であるか否かを判定する。
【０１１６】
ステップＳ１３１０は、ステップＳ１３０６において負荷追従運転によって出力される電力とパターン運転による出力とデマンドレスポンスによって要求される放電する電力との和が電池の定格出力以下、かつ負荷追従運転によって出力される電力量とパターン運転による出力量とデマンドレスポンスによって要求される放電する電力量との和が充電残量以下であると判定された場合に実行される。また、ステップＳ１３１０は、ステップＳ１３０８において負荷追従運転によって出力される電力とパターン運転による出力とデマンドレスポンスによって要求される放電する電力との和が電池の定格出力以下であり、且つ放電開始までに必要容量を充電可能であると判定された場合に実行される。ステップＳ１３１０では、ＤＲ可否判定部３１０は、電池が運転可能であるか否かを判定する。
【０１１７】
ステップＳ１３１２では、ステップＳ１３１０において電池が運転可能であると判定された場合、ＤＲ可否判定部３１０は、節電処理後の運転に支障がでないか否かを判定する。ここで、ＤＲ可否判定部３１０は、節電処理後の運転に支障がでないか否かを、以下の３点に基づいて判定する。
（１）節電処理を実行した後、「ｔ２」−「ｔ３」の間で行われる通常運転（通常運転には、ピークカット、ピークシフト等が含まれる）
（２）節電処理を実行した後「ｔ２」−「ｔ３」の間で実行される通常運転、節電処理を実行した後「ｔ２」−「ｔ３」の間で実行される夜間充電、節電処理を実行した後翌日の「ｔ０」−「ｔ１」の間で実行される通常運転
（３）節電終了後「ｔ２」−「ｔ３」の間で実行される通常運転、節電終了後「ｔ２」−「ｔ３」の間で実行される夜間充電、節電終了後翌日の「ｔ０」−「ｔ１」の間で実行される通常運転、節電終了後「ｔ１」−「ｔ２」の間で実行される節電処理
ステップＳ１３１４では、ステップＳ１３１２において節電処理後の運転に支障がでないと判定された場合、ＤＲ可否判定部３１０は、デマンドレスポンスに応じることが可能であると判定する。
【０１１８】
ステップＳ１３１６は、ステップＳ１３０８において負荷追従運転によって出力される電力とパターン運転による出力とデマンドレスポンス指令によって要求される放電する電力との和が電池の定格出力より大きい、又は放電開始までに必要容量を充電不可能であると判定された場合に実行される。ステップＳ１３１６では、ＤＲ可否判定部３１０は、運転パターンの変更が可能であるか否かを判定する。
【０１１９】
ステップＳ１３１８は、ステップＳ１３１６において運転パターンの変更が可能であると判定された場合に実行される。ステップＳ１３１８では、ＤＲ可否判定部３１０は、負荷追従運転によって出力される電力とパターン運転による出力とデマンドレスポンスによって要求される放電する電力との和が電池の定格出力以下、かつ負荷追従運転によって出力される電力量とパターン運転による出力量とデマンドレスポンスによって要求される放電する電力量との和が充電残量以下であるか否かを判定する。ステップＳ１３１８において、ＤＲ可否判定部３１０が負荷追従運転によって出力される電力とパターン運転による出力とデマンドレスポンスによって要求される放電する電力との和が電池の定格出力以下、かつ負荷追従運転によって出力される電力量とパターン運転による出力量とデマンドレスポンスによって要求される放電する電力量との和が充電残量以下であると判定した場合、ステップＳ１３１０へ移行する。
【０１２０】
ステップＳ１３２０は、負荷追従運転によって出力される電力とパターン運転による出力とデマンドレスポンスによって要求される放電する電力との和が電池の定格出力超過、又は負荷追従運転によって出力される電力量とパターン運転による出力量とデマンドレスポンスによって要求される放電する電力量との和が充電残量より大きいと判定された場合に実行される。ステップＳ１３２０では、ＤＲ可否判定部３１０は、負荷追従運転によって出力される電力とパターン運転による出力とデマンドレスポンスによって要求される放電する電力との和が電池の定格出力以下であり、且つ放電開始までに必要容量を充電可能であるか否かと判定する。ステップＳ１３２０においてＤＲ可否判定部３１０が負荷追従運転によって出力される電力とパターン運転による出力とデマンドレスポンスによって要求される放電する電力との和が電池の定格出力以下であり、且つ放電開始までに必要容量を充電可能であると判定した場合、ステップＳ１３１０へ移行する。
【０１２１】
ステップＳ１３２２は、ステップＳ１３０４において負荷追従運転によって出力される電力が電池定格出力より大きい、又は放電開始までに必要な容量を充電できないと判定された場合に実行される。また、ステップＳ１３２２は、ステップＳ１３１６においてパターン運転が不可能であると判定された場合に実行される。また、ステップＳ１３２２は、ステップＳ１３２０において負荷追従運転によって出力される電力とパターン運転による出力とデマンドレスポンスによって要求される放電する電力との和が電池の定格出力より大きい、又は充電開始までに必要な容量を充電不可能であると判定された場合に実行される。また、ステップＳ１３２２は、ステップＳ１３１０において電池が運転不可能であると判定された場合、ステップＳ１３１２において節電処理後の運転に支障がでると判定された場合に実行される。ステップＳ１３２２では、ＤＲ可否判定部３１０はデマンドレスポンスに応じることは不可能であると判定する。
【０１２２】
本実施形態に係る蓄電管理装置によれば、デマンドレスポンスの予告通知を受信したときの充電残量に基づいてデマンドレスポンスの予告通知を受信してからデマンドレスポンス指令を受信するまでに充電処理又は放電処理を行ったと仮定した場合の充電残量を推定し、該推定値に基づいてデマンドレスポンスに応じるか否かを判定できる。
さらに、蓄電管理装置によれば、所定の持続時間の間に節電処理を行った後、充電処理又は放電処理を行ったと仮定した場合の充電残量を推定し、該推定値に基づいてデマンドレスポンスに応じるか否かを判定できる。
このため、デマンドレスポンスに応じるか否かを判定する機会を増加させることができるため、商用電源の電力使用量の削減量を増加させることができる。
【０１２３】
本実施形態に係る蓄電管理装置において、各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【０１２４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１２５】
また、本実施形態において、アグリゲータサーバ２００にデマンドレスポンスサーバ１００の機能を備えるようにしてもよい。
本実施形態において、デマンドレスポンスの予告通知は、節電要請の予告通知の一例であり、送受信部は受信部の一例であり、ＳＯＣ０は第１の充電残量の一例であり、ＳＯＣ３は第２の充電残量の一例であり、ＤＲ可否判定部は推定部、及び判定部に一例であり、ＳＯＣ２は第３の充電残量の一例であり、ＳＯＣ１は第４の充電残量の一例である。
【０１２６】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【０１２７】
１００…デマンドレスポンスサーバ、１０２…送受信部、１０４…制御部、１０６…ＤＲ処理部、１０８…記憶部、２００…アグリゲータサーバ、２０２…送受信部、２０４…制御部、２０６…ＤＲ処理部、２０８…精算部、３００…蓄電管理装置、３０２…送受信部、３０４…ＤＲ解析部、３０６…充電残量測定部、３０８…負荷予測部、３１０…ＤＲ可否判定部、３１２…記憶部、３１４…充放電制御部、３１６…報酬予測部、４００…蓄電システム、５００…負荷
【図１】
2018068052.tif 000003
【図２】
2018068052.tif 000004
【図３】
2018068052.tif 000005
【図４】
2018068052.tif 000006
【図５】
2018068052.tif 000007
【図６】
2018068052.tif 000008
【図７】
2018068052.tif 000009
【図８】
2018068052.tif 000010
【図９】
2018068052.tif 000011
【図１０】
2018068052.tif 000012
【図１１】
2018068052.tif 000013
【図１２】
2018068052.tif 000014
【図１３】
2018068052.tif 000015